(57)【要約】【課題】  釣りを行っている間でも、釣り用リールに傷が付かないように保護できるようにする。【解決手段】  ベイト型の釣り用リール１の本体４２の内、釣り糸を巻回するスプール１０両側の第１、第２の側部４０、４１の外周に着脱自在に嵌着可能な弾性を有する無端ベルト状の第１、第２の覆い部５１、５２と、第１、第２の覆い部５１、５２と一体的に形成されて、第１、第２の覆い部５１、５２の間を、本体４２に対する操作、本体４２の動きの邪魔にならないように連結する連結部５３と、を備える。連結部５３は、ベイト型の釣り用リール１の本体４２の内、第１、第２の側部４０、４１の間に架設された支柱１３ａの外面または近傍に沿って配設する。【選択図】      図２
2020182395.tif 000002
【特許請求の範囲】
【請求項１】
ベイト型の釣り用リールの本体の内、釣り糸を巻回するスプール両側の第１、第２の側部の外周に着脱自在に嵌着可能な弾性を有する無端ベルト状の第１、第２の覆い部と、
第１、第２の覆い部と一体的に形成されて、第１、第２の覆い部の間を、本体に対する操作、本体の動きの邪魔にならないように連結する１または複数の連結部と、
を備えたことを特徴とする釣り用リールカバー。
【請求項２】
ベイト型の釣り用リールの本体の内、釣り糸を巻回するスプール両側の第１、第２の側部の外周及び側面に、本体に対する操作、本体の動きの邪魔にならないように着脱自在に嵌着可能な弾性を有するキャップ状の第１、第２の覆い部と、
第１、第２の覆い部と一体的に形成されて、第１、第２の覆い部の間を、本体に対する操作、本体の動きの邪魔にならないように連結する１または複数の連結部と、
を備えたことを特徴とする釣り用リールカバー。
【請求項３】
連結部は、ベイト型の釣り用リールの本体の内、第１、第２の側部の間に架設された支柱の外面または近傍に沿って配設したこと、
を特徴とする請求項１または２記載の釣り用リールカバー。
【請求項４】
釣り用リールカバーに釣り糸留め部を設けたこと、
を特徴とする請求項１乃至３の内のいずれか一項記載の釣り用リールカバー。
【発明の詳細な説明】
【技術分野】
【０００１】
本発明は釣り用リールカバーに係り、とくに釣りを行う間も装着したままとできる釣り用リールカバーに関する。
【背景技術】
【０００２】
一般的にベイト型の釣り用リールは、例えば図１（１）、（２）の符号１に示すように構成されており、釣り糸が巻回されるスプール１０の両側を回転自在に支持する軸受け部、ギア等を内蔵した円筒状の左右一対の側板１１と１２、側板１１と１２の間に架設された複数の横支柱１３ａ乃至１３ｄ、下側の２つの横支柱１３ｃ、１３ｄの下面に固着されたリール取り付け部１４、側板１２から軸方向外側に膨出するとともにギア等を内蔵する楕円筒状または円筒状の膨出部１５、膨出部１５から突出したハンドル軸１６、ハンドル軸１６に連結されたハンドル１７、ハンドル軸１６と同軸に備えられたスタードラグ１８、側板１１と１２の間で手前側の外周寄りに備えられたクラッチレバー１９、側板１１、１２の間で前側の外周寄りに備えられた釣り糸ガイド２０、膨出部１５に設けられた機械式制動力調節ネジ２１などを含んでいる。膨出部１５は側面視が側板１２と一部重なっている。
釣り用リール１はリール取り付け部１４により釣り竿３０に取り付けられる。
【０００３】
ところで、従来から釣り竿３０に取り付けた釣り用リール１をすっぽり覆い、保護する釣り用リールカバーが使用されていた。
けれども、釣りを行う間は釣り用リールカバーを外さなければならず、餌付けや釣った魚を保冷ケース等に入れるために、岩場、コンクリートふ頭などの上に竿を置いたとき、釣り用リールの側板上部（図１（１）のハッチング部分Ｓ参照）などに傷を付けてしまう問題があった。
【発明の概要】
【発明が解決しようとする課題】
【０００４】
本発明は上記した従来技術の問題に鑑みなされたもので、釣りを行っている間でも、釣り用リールに傷が付かないように保護できる釣り用リールカバーを提供することを、その目的とする。
【課題を解決するための手段】
【０００５】
請求項１記載の発明では、
ベイト型の釣り用リールの本体の内、釣り糸を巻回するスプール両側の第１、第２の側部の外周に着脱自在に嵌着可能な弾性を有する無端ベルト状の第１、第２の覆い部と、
第１、第２の覆い部と一体的に形成されて、第１、第２の覆い部の間を、本体に対する操作、本体の動きの邪魔にならないように連結する１または複数の連結部と、
を備えたことを特徴としている。
請求項２記載の発明では、
ベイト型の釣り用リールの本体の内、釣り糸を巻回するスプール両側の第１、第２の側部の外周及び側面に、本体に対する操作、本体の動きの邪魔にならないように着脱自在に嵌着可能な弾性を有するキャップ状の第１、第２の覆い部と、
第１、第２の覆い部と一体的に形成されて、第１、第２の覆い部の間を、本体に対する操作、本体の動きの邪魔にならないように連結する１または複数の連結部と、
を備えたことを特徴としている。
請求項３記載の発明では、連結部は、ベイト型の釣り用リールの本体の内、第１、第２の側部の間に架設された支柱の外面または近傍に沿って配設したこと、
を特徴としている。
請求項４記載の発明では、
釣り用リールカバーに釣り糸留め部を設けたこと、
を特徴としている。
【発明の効果】
【０００６】
本発明によれば、釣りを行う際の操作性を確保しながら、釣り用リールの内の傷の付き易い箇所を保護することができる。
【図面の簡単な説明】
【０００７】
【図１】図１（１）は従来のベイト型の釣り用リールの外観斜視図、（２）は角度を変えた外観斜視図である。
【図２】図２（１）は本発明の一実施例に係る釣り用リールカバーの使用状態を示す外観斜視図、（２）は角度を変えた外観斜視図である（実施例１）。
【図３】図１中の釣り用リールカバーの取付方法の説明図である。
【図４】図１中の釣り用リールカバーの他の取付方法の説明図である。
【図５】本発明の変形例に係る釣り用リールカバーの使用状態を示す外観斜視図である。
【図６】図６（１）は本発明の変形例に他の係る釣り用リールカバーの使用状態を示す外観斜視図、（２）は角度を変えた外観斜視図である。
【図７】図６中の釣り用リールカバーの取付方法の説明図である。
【図８】図２の釣り用リールカバーに釣り糸留め部を設けた例を示す外観斜視図である。
【図９】図６の釣り用リールカバーに釣り糸留め部を設けた例を示す外観斜視図である。
【図１０】図２の釣り用リールカバーに釣り糸留め部を設けた他の例を示す外観斜視図である。
【発明を実施するための最良の形態】
【０００８】
以下、本発明の最良の形態を実施例に基づき説明する。
【実施例１】
【０００９】
図２乃至図４を参照して本発明に係る釣り用リールカバーの一実施例を説明する。図２（１）は本発明に係る釣り用リールカバーの使用状態の外観斜視図、（２）は（１）の角度を変えた外観斜視図、図３と図４は釣り用リールカバーの取り付け方法を示す説明図である。なお、図１と同一の構成部分には同一の符号が付してある。
これらの図において、１はベイト型の釣り用リールであり、リール取り付け部１４により釣り竿３０に着脱自在に取着可能になっている。ベイト型の釣り用リール１は、釣りを行っている間に釣り糸に釣り餌を取り付けたり、釣った魚を釣り糸から外しクーラボックス等に入れるため、釣り竿３０を足元の岩場、ふ頭などに置くが、この際、側板１１、１２の外周に傷を付けてしまうことがある（図１（１）のハッチング部分Ｓ参照）。
この実施例では、釣りを行っている間でも、側板１１、１２、膨出部１５の外周に傷が付きにくくなるようにしてある。
【００１０】
具体的には、図３に示す如く、スプール１０の両側に有るハンドル１７とは反対側の側板１１の部分を第１の側部４０、ハンドル１７の側の側板１２と膨出部１５を合わせた部分を第２の側部４１、スプール１０、側板１１、１２、横支柱１３ａ乃至１３ｄ、膨出部１５、リール取り付け部１４、クラッチレバー１９、釣り糸ガイド２０を合わせた部分を本体４２として、第１の側部４０の外周を一周する外周面４３と、第２の側部４１の外周を一周する外周面４４に着脱自在に釣り用リールカバー５０が装着されている（図２参照）。
【００１１】
この釣り用リールカバー５０は、全体が膜状に形成されたシリコンゴムなどの弾性を有する合成ゴムなどの弾性部材からなり、第１の側部４０の外周面４３に着脱自在に装着可能な無端ベルト状の第１の覆い部５１、第２の側部４１の外周面４４に着脱自在に装着可能な無端ベルト状の第２の覆い部５２、第１の覆い部５１と第２の覆い部５２を連結する帯状の連結部５３が一体化されてなる。連結部５３は、釣り用リール１の内の一つの横支柱１３ａの外面４５と略同じ大きさに形成されている。第２の覆い部５２には周方向に見た側板１２と膨出部１５の段差が生じている箇所の形状に合致する段差５４が設けられている。
【００１２】
第１の覆い部５１の周長は第１の側部４０の外周より少し短く形成されており、輪を拡径して外周面４３に嵌装すると、弾性により縮径して装着状態となる。第２の覆い部５２の周長も第２の側部４１の外周より少し短く形成されており、輪を拡径して外周面４４に嵌装すると、弾性により縮径して装着状態となる。
連結部５３の周方向の位置を一つの横支柱１３ａに合わせ、第１、第２の覆い部５１、５２を第１、第２の側部４０、４１の外周面４３、４４に装着したとき、連結部５３は横支柱１３ａの外面４５に沿って配設した状態となる。
【００１３】
図３は上記の如く構成された釣り用リールカバー５０の取り付け方法の一つの説明図である。
釣り用リール１を釣り竿３０に装着する前に、釣り用リールカバー５０の第２の覆い部５２の輪を指で広げて拡径し、連結部５３を周方向に見た横支柱１３ａの位置に合わせ、ハンドル１７と反対側から本体４２に外嵌し、第１の側部４０から第２の側部４１に移動し、指を外して輪を縮径させて外周面４４に装着する。続いて、第１の覆い部５１の輪を指で広げて拡径し、第１の側部４０に外嵌し、指を外して輪を縮径させて外周面４３に装着する。このとき、連結部５３は横支柱１３ａの外面４５に沿って配設された状態となる。
このあと、釣り用リール１を釣り竿３０に装着する。
【００１４】
図４は釣り用リールカバー５０の他の取り付け方法の説明図である。
釣り用リールカバー５０の第２の覆い部５２の輪を指で広げて拡径し、ハンドル１７を中に通し、第２の側部４１に外嵌し、指を離して外周面４４に装着する。この際、連結部５３を横支柱１３ａの位置に合わせる。次に、第１の覆い部５１の輪を指で広げて拡径し、第１の側部４０に外嵌し、指を外して輪を縮径させて外周面４３に装着する。このとき、連結部５３は横支柱１３ａの外面４５に沿って配設された状態となる。
図４の方法による釣り用リール１に対する釣り用リールカバー５０の装着は、釣り用リール１を釣り竿３０に装着する前に行っても、あとに行っても良い。
【００１５】
釣り用リールカバー５０の装着により、第１の側部４０の外周面４３と第２の側部４１の外周面４４が弾性部材の第１、第２の覆い部５１、５２により被覆されて保護される。従って、釣りを行っている間に釣り餌の取り付け、釣った魚のクーラボックスへの収納などのため、釣り竿３０を岩場、ふ頭などの釣り場に置いても、第１の側部４０の側板１１の外周面４３や、第２の側部４１の側板１２から膨出部１５に掛けた外周面４４に傷が付くのを防止できる。
また、連結部５３が横支柱１３ａの外面４５に沿って配設されているので、スプール１０、釣り糸ガイド２０に対する釣り糸の取り付け、クラッチレバー１９の操作の邪魔にならず、第１、第２の覆い部５１、５２も第１、第２の側部４０、４１の外周面４３、４４を覆うだけなので、ハンドル１７、スタードラグ１８、機械式制動力調節ネジ２１の操作の邪魔になることはない。同様に、釣り糸ガイド２０の動きの邪魔にもならない。
【００１６】
この実施例によれば、釣りを行っている間でも、釣りを行う際の操作性やリールの動きの円滑性を確保しながら釣り用リール１の内、傷の付き易い側板１１の外周や、側板１２から膨出部１５にわたる外周を保護することができる。
【００１７】
なお、上記した実施例では、釣り用リールカバーには第１の覆い部と第２の覆い部を連結する連結部を一つだけ設ける場合を例に挙げたが、２つ以上設けるようにしても良い。連結部は横支柱の外部に露出している外面に沿って配設しても良く、或いは、第１の側部と第２の側部の間で、釣り用リールに対する作業や操作、釣り糸ガイド等のリール各部の動きの邪魔にならない場所に配設しても良い。
例えば図５に示す釣り用リールカバー５０Ａでは、第１、第２の覆い部５１、５２を連結する２つの連結部５３、５４が設けてあり、この内、一方の連結部５３は横支柱１３ａの外面に沿って配設されており、もう一方の連結部５４はリール取り付け部１４の装着された横支柱１３ｄの近くで、釣り糸ガイド２０の動きの邪魔にならない場所に配設してある。なお図５の連結部５３も、支柱１３ａの外面以外の場所に設けても良く、例えば支柱１３ａ、１３ｂ、１３ｃ、１３ｄのいずれかの近くで釣り用リールに対する作業や操作、釣り糸ガイド２０等のリール各部の動きの邪魔にならない場所に配設しても良い。
【００１８】
また、上記した実施例では、ベイト型の釣り用リールの内、第１の側部の外周面と第２の側部の外周面を覆って保護する場合を例に挙げて説明したが、例えば、図６の釣り用リールカバー５０Ｂに示す如く、ベイト型の釣り用リール１Ａ（図７参照）の第１の側部４０Ａの外周面４３Ａと外側面４６をキャップ状に形成した第１の覆い部５１Ｂにより一緒に覆って保護するようにしても良い。この場合、外側面４６にマグネット式制動力調節ネジ４７などの操作対象がある場合は、第１の覆い部５１Ｂのマグネット式制動力調節ネジ４７などに対応する箇所に穴部５７を設けて外部に露出させ、操作の邪魔にならないようにする。第２の覆い部を上記した実施例と同様にすれば（図２の符号５１参照）、釣り用リール１Ａへの釣り用リールカバー５０Ｂの着脱を容易に行うことができるが、図６に示す如く、第２の側部４１Ａの外周面４４と外側面４８をキャップ状にした第２の覆い部５２Ｂにより一緒に覆って保護するようにしても良い。第２の覆い部５２Ｂに穴部５８を設け、外側面４８から突設した機械式制動力調節ネジ２１、ハンドル軸１６などを露出させて操作の邪魔にならないようにしたり、カバー装着の邪魔にならないようにする。第１、第２の覆い部５１Ｂ、５２Ｂの間は図２と同様に一つの連結部５３により連結したり、図５と同様に複数の連結部５３、５４により連結しても良い。
【００１９】
図６のように、第２の覆い部５２Ｂをキャップ状とする場合、釣り用リールカバー５０Ｂを釣り用リール１Ａに装着する際、予め、ハンドル１７、スタードラグ１８などの邪魔になる部分を取り外した状態にして第２の覆い部５１Ｂ、第１の覆い部５０Ｂの順に釣り用リールカバー５０Ｂを装着し、しかるのちスタードラグ１８、ハンドル１７等を再装着すればよい（図７参照）。釣り用リールカバー５０Ｂを釣り用リール１Ａから外す場合も同様に、先にハンドル１７、スタードラグ１８を取り外して釣り用リールカバー５０Ｂを外し、再度スタードラグ１８、ハンドル１７を装着すれば良い。
【００２０】
また、上記した各実施例・変形例の釣り用リールカバの傷防止機能に加え、釣り糸を留める釣り糸留め部としての機能を付加しても良い。例えば、第１実施例の場合は図８に示す如く、第１の覆い部５１または第２の覆い部５２に、釣り糸留め部の一例としてのクリップ式等の釣り糸留め６０を装着するか、留め紐で吊るし掛けするようにしてもよく、第２実施例の場合も図９に示す如く、第１の覆い部５１Ｂまたは第２の覆い部５２Ｂに、クリップ式等の釣り糸留め６０を装着するか、留め紐で吊るし掛けするようにしても良い。
或いは、第１実施例の場合、図１０に示す如く第１の覆い部５１または第２の覆い部５２に、釣り糸留め部の他の例としての切り込み６１を形成し、釣り糸を切り込み６１に挿し込むことで、釣り糸を留められるようにしても良い。第２実施例の場合も同様に、第１の覆い部または第２の覆い部に、切り込みを形成し、釣り糸を切り込みに挿し込むことで、釣り糸を留められるようにしても良い。
【産業上の利用可能性】
【００２１】
本発明は、ベイト式の釣り用リール、ベイト式の釣り用リールを備えた釣り竿に適用できる。
【符号の説明】
【００２２】
１  ベイト型の釣り用リール
１１、１２  側板
１３ａ乃至１３ｄ  横支柱
１５  膨出部
４０  第１の側部
４１  第２の側部
４２  本体
４３、４４  外周面
５０  釣り用リールカバー
５１  第１の覆い部
５２  第２の覆い部
５３  連結部
【図１】
2020182395.tif 000003
【図２】
2020182395.tif 000004
【図３】
2020182395.tif 000005
【図４】
2020182395.tif 000006
【図５】
2020182395.tif 000007
【図６】
2020182395.tif 000008
【図７】
2020182395.tif 000009
【図８】
2020182395.tif 000010
【図９】
2020182395.tif 000011
【図１０】
2020182395.tif 000012